(57)【要約】【課題】ヘッドのメニスカス面の乾燥及びインクの増粘を防ぐ目的でなされる従来の微駆動制御は必用以上に多く行われる場合があった。微駆動制御の回数を最適化する。【解決手段】入力された画像データから、ノズルからのインク滴の吐出を伴う制御データである吐出制御データを生成する。生成された前記吐出制御データに基づいて、前記ノズルからのインク滴の吐出が行われる前に当該ノズルを振動させる微駆動をする。【選択図】図５
2012101408.tif 000002
【特許請求の範囲】
【請求項１】
被記録媒体に対しインク滴を吐出する複数のノズルが配列された記録ヘッドと、
前記記録ヘッドに対し、前記ノズルからインク滴の吐出をさせないで前記ノズルを振動させる微駆動を行う微駆動制御手段と、
入力された画像データから、前記ノズルからのインク滴の吐出を伴う制御データである吐出制御データを生成する吐出制御データ生成手段と、
を有し、
前記微駆動制御手段は、生成された前記吐出制御データに基づいて、前記ノズルからのインク滴の吐出が行われる前に当該ノズルを振動させる微駆動をすることを特徴とする画像形成装置。
【請求項２】
前記微駆動制御手段は、インク滴の吐出を行う前記ノズルが当該吐出を行う前であって正常な吐出を可能にする必用最低限のライン数前に、前記微駆動することを特徴とする請求項１記載の画像形成装置。
【請求項３】
前記微駆動制御手段は、生成された前記吐出制御データに含まれる、吐出されるインク滴の吐出量に対応した回数の前記微駆動をすることを特徴とする請求項１又は２記載の画像形成装置。
【請求項４】
前記微駆動制御手段は、生成された前記吐出制御データに基づいて、各ノズルにおける最後の吐出の吐出量に対応した回数の前記微駆動を、各ノズルに対して行うことを特徴とする請求項１から３のいずれか１項記載の画像形成装置。
【請求項５】
前記微駆動制御手段は、生成された前記吐出制御データに基づいて、各ノズルにおける最後の吐出からの経過時間に対応した回数の前記微駆動を、各ノズルに対して行うことを特徴とする、請求項１から４のいずれか１項記載の画像形成装置。
【発明の詳細な説明】
【技術分野】
【０００１】
本発明は、インクジェット方式の画像形成装置に関し、特に、インクを吐出しないノズルのインク粘度を調整するために行う微駆動制御に関する。
【背景技術】
【０００２】
本発明に関連する先行技術文献として、特許文献１ないし６を挙げる。
特許文献１には、複数ヘッドを組み合わせたラインヘッド機においてノズル内のインク粘度を抑制する目的で、記憶（印刷）可能領域、記憶（印刷）領域ごとに、微駆動制御を行う方法について開示されている。
【０００３】
特許文献１は、本発明とは確かにヘッド、ノズル毎に微駆動制御を行う点では関連する点がある。しかしながら、記憶（印刷）領域に対しては、どのような出力画像であれ一様の制御を行うので、必用以上の微駆動を行ってしまうということと、事前に出力画像全体（一面）を検知して領域（ノズル）を検出して制御しなければならないという問題点がある。
【０００４】
特許文献２には、生産性（スループット）を向上させる目的で、微駆動制御を適切に行い、かかる時間を短縮する微駆動制御方法が開示されている。本発明とは確かに微駆動動制御を適切に制御する点では似ている点がある。しかしながら、どのような出力画像であれ一様な制御となり、ノズルによっては必用以上の微駆動を行ってしまうというという問題点がある。
【０００５】
特許文献３には、ノズルの空吐出による吐出量を低減する目的で、インクの粘度に応じた微駆動制御を行う方法が開示されている。本発明とは確かに微駆動制御を適切に行うことによって空吐出の吐出量を低減する点では似ている点がある。しかしながら、インク粘度検出センサを新たに設けなければならないという問題点がある。
【０００６】
特許文献４には、ノズルの目詰まりを防止しつつ、ヘッドの高寿命化と低騒音化する目的で、微駆動制御を間引き制御する方法が開示されている。本発明とは確かに微駆動動作回数を削減して目詰まりを防止する制御を行う点では似ている点がある。しかしながら、どのような出力画像であれ一様な制御となり、ノズルによっては必用以上の微駆動を行ってしまうというという問題点がある。
【０００７】
特許文献５には、ノズルの目詰まりを防止する目的で、吐出制御からの経過時間に応じて微駆動専用波形に切り替え制御する方法が開示されている。本発明とは確かに微駆動動作回数を削減して目詰まりを防止する制御を行う点では似ている点がある。しかしながら、部分的な出力画像であると微駆動制御が長期に続いてしまうという問題点がある。
【０００８】
特許文献６には、微駆動の電力低減しつつ、画質低下を抑制する目的で、微駆動制御を間引き制御する方法が開示されている。本発明とは確かに微駆動動作回数を削減して目詰まりを防止する制御を行う点では似ている点がある。しかしながら、部分的な出力画像であると微駆動制御が長期に続いてしまうという問題点がある。
【発明の概要】
【発明が解決しようとする課題】
【０００９】
インクジェット方式の画像形成装置では、空白ドットを形成する際は、一般的に、インク滴を吐出しないノズル制御を行うことにより形成している。この吐出が行われない非吐出ノズルでは、ノズル内のインクが吐出されずに残り、新たなインクが供給されないので、インクの入れ替わりが起きない。この状態が長く続くと、メニスカス面が空気にさらされる時間が長くなり、徐々に乾燥、増粘し、しいては正常な吐出が行えなくなってしまう可能性がある。
【００１０】
このメニスカス面の乾燥を防止する方法として、従来、インクが吐出しない程度にアクチュエータを微少に駆動させる微駆動制御を行い、ノズル内のインクと共通液室のインクを攪拌する技術が知られている（例えば、特許文献１ないし３）。
【００１１】
しかしながら、このような従来の技術は、すべてのノズルもしくは印刷領域に分割して一様の微駆動制御を行うので、必用以上の微駆動制御を行ってしまうという問題があった。必用以上の微駆動制御は、液室のインクの増粘が進んでしまう可能性がある点と駆動電力の点で問題である。特に、ノズル数の多いラインヘッドにおいては、駆動電力の無駄は増大するため、不利である。
【００１２】
そのため、微駆動制御を間引き制御したり、駆動回数を削減したりする技術が種々提案されているが、いずれについても、微駆動制御が長期にわたって続いてしまう等の問題点が指摘できる（例えば、特許文献４ないし６）。
【００１３】
本発明は、上記実情に鑑みてなされたものであって、微駆動制御を行うインクジェット方式の画像形成装置において微駆動制御の回数を最適化して駆動電力の低減を可能にする画像形成装置を提供することを目的とする。
【課題を解決するための手段】
【００１４】
上記目的を達成するために本発明は、第１の態様として、被記録媒体に対しインク滴を吐出する複数のノズルが配列された記録ヘッドと、前記記録ヘッドに対し、前記ノズルからインク滴の吐出をさせないで前記ノズルを振動させる微駆動を行う微駆動制御手段と、入力された画像データから、前記ノズルからのインク滴の吐出を伴う制御データである吐出制御データを生成する吐出制御データ生成手段と、を有し、前記微駆動制御手段は、生成された前記吐出制御データに基づいて、前記ノズルからのインク滴の吐出が行われる前に当該ノズルを振動させる微駆動をすることを特徴とする画像形成装置を提供するものである。
【発明の効果】
【００１５】
本発明によれば、微駆動制御を行うインクジェット方式の画像形成装置において微駆動制御の回数を最適化して駆動電力の低減を可能にする画像形成装置を提供することが可能となる。
【図面の簡単な説明】
【００１６】
【図１】本実施形態に係る画像形成装置の主要部のハードウェア構成例を示す図である。
【図２】本実施形態の機能構成を示すブロック図である。
【図３】本実施形態における微駆動制御を模式的に表した模式図である。
【図４】図３の状態から用紙搬送にズレが生じ、スキュー（シフト）を起こした際の微駆動制御を模式的に表した模式図である。
【図５】本実施形態の、ある画像出力をした際の吐出滴サイズと微駆動制御の関係を模式的に表した図であって、ドットの存在する画像端を示したものを示す模式図である。
【図６】本実施形態の、画像データ転送開始時の各ノズルにおける微駆動制御について示すフローチャートである。
【図７】本実施形態の、印刷における吐出制御中の吐出制御及び微駆動制御完了について示すフローチャートである。
【発明を実施するための形態】
【００１７】
以下、本発明を実施するための形態について図面を参照しながら説明する。
【００１８】
図１に、本実施形態に係る画像形成装置の主要部のハードウェア構成例を示す。
図１に示すように、本実施形態に係る画像形成装置は、ラインヘッド型のインクジェットプリンタである。本実施形態に係る画像形成装置は、図１に示す用紙（被印刷物）１０１にインクを吐出することにより、画像形成を実施する。
【００１９】
給紙機構１１１は、画像形成する前の用紙（被印刷物）１０１をスタックする。用紙（被印刷物）１０１は、用紙分離機構１１２によって１枚ずつ分離されて、紙間調整機構１１３にて紙間タイミングが補正されて、用紙搬送機構１２１に流れる。
【００２０】
用紙搬送機構１２１は、ラインヘッド（Ｋ）１４１、ラインヘッド（Ｃ）１４２、ラインヘッド（Ｍ）１４３、ラインヘッド（Ｙ）１４４の直下に用紙（被印刷物）１０１を搬送させえる。各ラインヘッド（Ｋ）１４１、ラインヘッド（Ｃ）１４２、ラインヘッド（Ｍ）１４３、ラインヘッド（Ｙ）１４４は、搬送のタイミングにあわせて、それぞれの作像色にあわせた吐出インク滴１４５を吐出させる事によって、オンデマンドに画像ドットを形成していく。
【００２１】
用紙（被印刷物）１０１は、全ての作像が完了された後、更に下流に搬送されて、排紙機構１３１に印刷出力としてストックされる。
【００２２】
また、各ラインヘッド（Ｋ）１４１、ラインヘッド（Ｃ）１４２、ラインヘッド（Ｍ）１４３、ラインヘッド（Ｙ）１４４に対応するヘッド（Ｋ）用空吐出受け１６１、ヘッド（Ｃ）用空吐出受け１６２、ヘッド（Ｍ）用空吐出受け１６３、ヘッド（Ｙ）用空吐出受け１６４が設けられており、更に用紙搬送機構１２１のベルト上には、紙間空吐出用孔１２２が開いており、搬送ベルトの回転タイミングを見計らって、各ラインヘッド（Ｋ）１４１、ラインヘッド（Ｃ）１４２、ラインヘッド（Ｍ）１４３、ラインヘッド（Ｙ）１４４は、紙間空吐出用孔１２２を通して、各ヘッド（Ｋ）用空吐出受け１６１、ヘッド（Ｃ）用空吐出受け１６２、ヘッド（Ｍ）用空吐出受け１６３、ヘッド（Ｙ）用空吐出受け１６４に空吐出を行っている。なお、図１では、紙間空吐出用孔１２２は１箇所のみ記載をしているが、複数存在しても良い。
【００２３】
印刷動作を行わない際には、ヘッドのノズル面を乾燥等から保護したり、メンテナンスを行う目的で、ヘッド維持／回復機構１５１が各ラインヘッド（Ｋ）１４１、ラインヘッド（Ｃ）１４２、ラインヘッド（Ｍ）１４３、ラインヘッド（Ｙ）１４４の下方、ノズル面側に入ってくることにより実現する。
【００２４】
図２に、本実施形態の機能構成を示す。
図２に示すＣＰＵ２０１は、本実施形態に係る画像形成装置のシステム全体を制御するＣＰＵであり、ＲＯＭ２０２に格納されたプログラムをＲＡＭ２０３に展開して、システム全体の動作制御を行う。
【００２５】
操作部２１１は、ユーザーが各種操作や設定を行うマンマシンインタフェースで、その操作に応じて本画像形成装置の状態等を表示部２１２に表示する。
【００２６】
ホストコンピュータや電話回線、メモリーカード等の外部からデータをやり取りする外部Ｉ／Ｆ（インタフェース）２２１、そしてその外部Ｉ／Ｆ２２１のＬＡＮやＵＳＢ、電話回線、ＳＤカード（登録商標）等の通信プロトコルを制御する箇所が、通信制御部２２２である。また、スキャナー２３１とその読み取りの制御を行う読み取り制御部２３２によって、スキャナーの読み取りを行う。その外部から取り込まれた画像データは、ＲＯＭ２０２やＲＡＭ２０３上に一時記憶され、画像処理等が行われる。
【００２７】
インクジェットの吐出制御は、ＲＯＭ２０２又はＲＡＭ２０３上に一時記憶されている画像データに基き、ＣＰＵ２０１を介在して、吐出駆動制御部２４１に転送されて各ヘッド２４３上のノズル、アクチュエータを駆動する画像データ信号、マスク（制御）信号と駆動波形信号を生成する。生成された駆動波形信号をヘッドドライバ２４２で増幅した後、ヘッド２４３を駆動制御する。
【００２８】
つまり、吐出駆動制御部２４１は、ＣＰＵ２０１により画像データの入力を受け、入力された画像データに基づいて、実際にノズルからインク滴の吐出を伴う制御データであり吐出を伴わない微駆動は含まない吐出制御データを生成する。この吐出制御データに基づいて、各ノズルのアクチュエータが駆動する。このような吐出駆動制御と同時に、吐出駆動制御２４１は、図３と図４を用いて概略を後述する微駆動制御も行う。
【００２９】
ＩＯ制御部２５１は、用紙の搬送経路である給紙部２６１、搬送部２６２、排紙部２６３の動作制御を行うほか、ヘッド（ノズル）の維持／回復を行う維持／回復部２７１の動作制御も行う。更に、本画像形成装置を動作させる各種センサ２８１、各種ソレノイド２８２、各種クラッチ２８３、各種モーター２８４の制御及び検知をも行っている。
【００３０】
図３に、本実施形態における微駆動制御を模式的に表したものを示す。
図３に示すラインヘッドは、ヘッドＡ３１１、ヘッドＢ３１２、ヘッドＣ３１３、ヘッドＤ３１４を千鳥に並べることにより、印刷幅分のラインヘッドを構成する例を示しており、更に一つのヘッドは、ノズル３２１が千鳥配列によって実現しているが、模式化して示した例であり、ヘッド数、ノズル列、ノズル数や配列はこの限りではない。
【００３１】
用紙（印刷前）３０１は、搬送ベルト（図示せず）によってヘッド群３１１〜３１４の下方を通り、各ノズルが対応する画像ドットを形成する位置まで搬送されてきたタイミングでインクを吐出し、画像を形成することにより、所望の印刷出力３０２を得る画像形成装置において、画像形成順序を説明する。
【００３２】
ヘッドＡ３１１上のノズル３２１は、用紙（印刷前）３０１が搬送され、画像形成ドットＡ３３１の位置と重なったタイミングでインクを吐出し、画像形成ドットＡ３３１を形成する。次に画像形成ドットＢ３３２の位置まで搬送されてきたタイミングでインクを吐出することで、画像形成ドットＢ３３２を形成し、その次に画像形成ドットＣ３３３がくる。これを各ノズルに対応した吐出制御データ（吐出を伴う制御データ）を画像データから生成して、インクを吐出することで画像を形成している。
【００３３】
しかしながら、画像形成ドットＭ３３５は、画像形成ドットＥ３３４が形成された後、搬送されてくる間インク吐出が無く、ノズル面（メニスカス面）が乾燥、増粘し、画像形成ドットＭ３３５の吐出が遅れたり、吐出滴サイズが小さくなってしまい、出力画像に乱れを生じてしまう。同様に画像形成ドットＡ３３１についても、紙間で空吐出を行ったとしても用紙端から距離がある場合には、同様に正常な吐出が行われない可能性がある。
【００３４】
そこで、出力画像が存在しない部分やエリアに対して、吐出しない程度にノズルのアクチュエータを駆動させることによって、ノズル内と共通液室内のインクを撹拌する微駆動制御が行われる。しかしながら、必用以上に撹拌動作を行ってしまうと、共通液室内のインクも増粘が進んでしまい、空吐出などのフラッシングを行う必用さえ生じてしまうので、画像エリアごとに分割した微駆動制御や微駆動のタイミングを制御する技術が既に開示されている。
【００３５】
しかしながら既存の方法では、出力画像全体を検出して画像があるエリアか否かを事前に検出しておく必要があったり、吐出制御した結果や吐出の状態を検知して、吐出後のタイミングで微駆動制御を行っているので、微駆動制御が最適に行われていなかった。
【００３６】
また、過剰に微駆動制御を行うと、インクの増粘が進むこともさることながら、微駆動の消費電力も大きくなる。特に、印刷幅分のノズルを持つラインヘッドにおいては、そのノズル数も格段に多いので、微駆動電力も比例して増加してしまう。つまり、ラインヘッドにおいては、ノズルが非吐出ドットを形成する比率が非常に高くなり、微駆動制御を低減することが、消費電力の低減に大きく寄与する。
【００３７】
そこで、本実施形態では画像データから生成される吐出制御データに基づいて微駆動制御を行う事により、過剰な微駆動制御を行わない。
【００３８】
図３において、画像形成ドットＡ３３１を正常吐出するには、３回の微駆動制御が必用としている場合を示しており、３ライン前の微駆動（空白）ドットＡ３４１から順に微駆動（空白）ドットＢ３４２、微駆動（空白）ドットＣ３４３と３回の微駆動制御を行う事で画像形成ドットＡ３３１が正常に吐出される。
【００３９】
また、吐出制御データ（吐出を伴う制御データ）を３ライン分のメモリでバッファリングする事により、微駆動制御をおこなうので、吐出制御データ（吐出を伴う制御データ）の存在する画像形成ドットＡ３３１から３ライン前の微駆動（空白）ドットＡ３４１から吐出準備が開始でき、実際吐出する以前の微駆動制御が可能となる。
【００４０】
上記では、３ライン前として説明したが、このライン数については、前駆動制御からの経過時間で条件化することも可能である。画像形成ドットＥ３３４から画像形成ドットＭ３３５が吐出されるまでの経過時間ｔ１と画像形成ドットＸ３５１から画像形成ドットＹ３５２の経過時間ｔ２では、ｔ１＞ｔ２の関係があり、ｔ１の方がより大気にさらされインクの増粘が進むので、この吐出制御が行われた経過時間をカウントし微駆動制御回数の条件として、微駆動を行える。
【００４１】
ｔ１は、３回微駆動を行う閾値経過時間ｔｋと比較し、ｔｋ≦ｔ１であったので、４ライン前の微駆動（空白）ドットＹ３６１から微駆動制御を行う。ｔ２は、３回微駆動を行う閾値経過時間ｔｋと比較し、ｔｋ＞ｔ２であったので、３ライン前の微駆動（空白）ドットＭ３６２から微駆動制御を行う。
【００４２】
図４に、図３の状態から用紙搬送にズレが生じ、スキュー（シフト）を起こした際の微駆動制御を模式的に表した図を示す。
図３では、画像形成ドットＡ３３１を吐出するノズルは、ノズル３２１であったのに対して、図４ではノズルＳ３２２と吐出するノズルが異なる。予め画像を認識し、エリアごとに微駆動制御を変える従来の方式では、搬送ズレ、スキュー（シフト）が生じる度に、再検出を行ってエリアを確定する必要がある。
【００４３】
しかしながら、本実施形態においては図４に示すように、画像形成するノズルは微駆動を行うノズルと一致しているので、用紙スキュー（シフト）が生じても、吐出制御データ（吐出を伴う制御データ）に基づく微駆動制御を行う。そのため、本実施形態によれば、用紙スキュー（シフト）に追従した微駆動制御が行える。
【００４４】
図５に、ある画像出力をした際の吐出滴サイズと微駆動制御の関係を模式的に表した図であって、ドットの存在する画像端を示したものを示す。
図５の搬送下流側にあたる右側に位置する画像開始端では、図３で説明した様にインク吐出を行う前に微駆動制御を行っているが、図５においては、画像を形成する際に、大滴、中滴、小滴、滴無しの４値で表現する階調を取り入れて説明をしている。
【００４５】
画像開始端大滴吐出５０１においては、滴サイズを大きく表現するドットであり、アクチュエータの駆動を大きくして大滴を吐出している。つまりアクチュエータの駆動力が大きいので、その吐出遅れや曲がりと言った出力画像に影響を及ぼす吐出不良の可能性が、ほかの滴サイズより小さく、微駆動制御５０２を１回行う事でノズル内のインクを十分に撹拌が行える。
【００４６】
このように吐出する滴サイズ（階調）に応じて、画像開始端中滴吐出５１１では微駆動制御５１２を２回、画像開始端小滴吐出５２１では微駆動制御５２２を３回と微駆動制御回数を画像の滴サイズ（階調）に応じた制御を行う。このような制御を行うことによって、必用最低限の微駆動制御が行える。また、画像開始端滴無し５３１は吐出を行わないので、その微駆動制御５３２も０回となることは、言うまでもない。
【００４７】
また、図５の左側に位置する画像終了端においても、階調に応じた微駆動制御を行う事が可能で、画像形成で使用されるインク量（滴サイズ）が十分であり、ノズル内のインクがリフレッシュされずに残る、中滴や小滴の吐出を行った場合に、微駆動制御を行い、大滴吐出と同等のインク粘度となる様に調整することが出来る。
【００４８】
画像終了端大滴吐出５５１の吐出は、大滴であり十分にノズル内のインク入替が行われたので、その微駆動制御５５２は０回行う。同様に画像終了端中滴吐出５６１、画像終了端小滴吐出５７１の吐出は、吐出滴サイズに応じて、それぞれの微駆動制御５６２は１回、微駆動制御５７２は２回と対象ノズルが吐出したインク量に応じた微駆動を行う事が可能となる。無論、画像終了端滴無し５８１は吐出を行っていないので、その微駆動制御５８２は微駆動制御を行わない。
【００４９】
図６は、画像データ転送開始時の各ノズルにおける微駆動制御について示すフローチャートであり、小滴、中滴、大滴、滴なしの４値階調で画像出力をする場合を示す。また、大滴より中滴、中滴より小滴の吐出をする際に必用な微駆動の回数が多いものとして、それぞれの回数をＬ回、Ｍ回、Ｎ回とし、Ｌ≧Ｍ≧Ｎの関係が成り立つものとしてフローチャート化している。
なお、図６と図７のフローチャートの各処理の主体は、特に断りのない限り、図２のＣＰＵ２０１である。
【００５０】
また、Ｌ、Ｍ、Ｎの回数には、図３や図７で示す経過時間条件を含んでおり、それぞれ
Ｌ（整数）回＝（小滴吐出に必用な微駆動回数）×（前回吐出からの経過時間）×（経過時間係数）
Ｍ（整数）回＝（中滴吐出に必用な微駆動回数）×（前回吐出からの経過時間）×（経過時間係数）
Ｎ（整数）回＝（大滴吐出に必用な微駆動回数）×（前回吐出からの経過時間）×（経過時間係数）
とする事で、経過時間に応じた微駆動回数を算出する。
【００５１】
印刷が開始されると共に、各ノズルを駆動する吐出制御データ（吐出を伴う制御データ）を生成する画像データの転送が始まるので、その画像データ転送開始に伴い、本フローに従って微駆動制御回数を決める。
【００５２】
Ｓ６０１で始まりの吐出制御データ（吐出を伴う制御データ）が小滴かつＬライン前であるかを判断し、小滴かつＬライン前であるならばＳ６０２でＬライン分の微駆動制御を行う。
【００５３】
Ｓ６０１の条件を満たさない場合には、Ｓ６０３にて吐出制御データ（吐出を伴う制御データ）が中滴かつＭライン前であるかを判断し、条件を満たせばＳ６０４でＭライン分の微駆動制御を行う。
【００５４】
更にＳ６０３の条件を満たさない場合には、Ｓ６０５にて吐出制御データ（吐出を伴う制御データ）が大滴かつＮライン前であるかを判断し、条件を満たせばＳ６０６でＮライン分の微駆動制御を行う。
【００５５】
これらのＳ６０１、Ｓ６０３、Ｓ６０５の各条件を満たさない場合には、まだ微駆動制御を必要が無いと判断し、Ｓ６０７で微駆動制御を行わす、本フローを終了し、次ラインの画像データ転送を待つ。
【００５６】
このフローを各ライン、ノズル毎に行う事により、画像形成する吐出前に検出し微駆動制御が可能となる。
【００５７】
図７は、印刷における吐出制御中の吐出制御及び微駆動制御完了について示すフローチャートである。よって、吐出を行っていない空白ドットの場合には、図６に示す吐出開始時のフローに従い、吐出制御が開始されるまで、本フローの実行はない。
【００５８】
Ｓ６１１にて吐出制御データ（吐出を伴う制御データ）が終了（空白ドット）であるかを判断し、吐出制御データ（吐出を伴う制御データ）がある（吐出が行われる）場合には、Ｓ６１２にて画像データに応じた滴サイズの吐出制御を行った後、Ｓ６１２の吐出制御経過時間をクリアして、次ラインの吐出制御データ（吐出を伴う制御データ）の判断へ移行する。
【００５９】
Ｓ６１１にて、吐出制御データ（吐出を伴う制御データ）が終了（空白ドット）であると判断した場合には、Ｓ６１４にて吐出制御からの経過時間をカウント開始して、Ｓ６１５の吐出制御データ（吐出を伴う制御データ）の終了が大滴であるか、Ｓ６１７にてデータ終了が中滴であるかを判断する。
【００６０】
Ｓ６１５にて大滴と判断した場合には、Ｓ６１６微駆動制御回数ＪにＪ１（大滴吐出後に微駆動を行う回数）をセットし、Ｓ６１７にて中滴と判断した場合には、Ｓ６１８微駆動制御回数ＪにＪ２（中滴吐出後に微駆動を行う回数）をセットする。Ｓ６１５、Ｓ６１７で大滴でも中滴でも無いと判断された場合は、Ｓ６１９に示す様に小滴データであると判定できるので、Ｓ６２０にて微駆動制御回数ＪにＪ３（小滴吐出後に微駆動を行う回数）をセットする。
【００６１】
Ｓ６１６、Ｓ６１８、Ｓ６２０でセットされた微駆動制御回数が０回である場合には、Ｓ６１９で判断され、そのまま本フローを終了して、図６に示す画像データ転送開始フローへ移行する。
Ｓ６１９で微駆動制御回数が０回で無いと判断されたなら、Ｓ６２２にて微駆動制御を１回行い、Ｓ６２３で微駆動制御回数Ｊをデクリメントする。
【００６２】
Ｓ６２４は、図６に示す画像データ転送開始時のフローに従った処理を行う事により、吐出終了後の微駆動制御が完了する前に次の吐出制御データ（吐出を伴う制御データ）があるか否かを判断するもので、吐出制御データ（吐出を伴う制御データ）がない場合には、図６のＳ６０７を介して微駆動制御を行わず、Ｓ６２１に戻る。
【００６３】
これにより、Ｓ６１６、Ｓ６１８、Ｓ６２０でセットされた微駆動制御回数分の微駆動制御が行われる。
【００６４】
上述した本実施形態によれば、実際にインク滴の吐出を行う吐出制御データに基づいた微駆動を行うので、どのような出力画像であれ一様な微駆動を行うような構成とは異なり、駆動電力を低減できる。
また、吐出を行うノズルの吐出実行の前であって必用最低限のライン数前に微駆動を行うので、吐出が安定する。また、吐出ごとに逐次判断を行うので、用紙等のスキュー（シフト）に適切に対応できる。
【００６５】
また、上述した本実施形態によれば、（これから吐出しようとする）インク滴の吐出量、滴サイズに対応する回数の微駆動を行うので、最適な回数の微駆動がなされることになり、さらなる駆動電力の低減が実現する。
また、前回最後に吐出したインク滴の吐出量、滴サイズに対応する回数の微駆動を行うので、最適な回数の微駆動がなされることになり、さらなる駆動電力の低減が実現する。
また、前回最後に吐出した時点からの経過時間に対応する回数の微駆動を行うので、最適な回数の微駆動がなされることになり、さらなる駆動電力の低減が実現する。
【符号の説明】
【００６６】
１０１    用紙（被印刷物）
１１１    給紙機構
１１２    用紙分離機構
１１３    紙間調整機構
１２１    用紙搬送機構
１２２    紙間空吐出用孔
１３１    排紙機構
１４１    ラインヘッド（Ｋ）
１４２    ラインヘッド（Ｃ）
１４３    ラインヘッド（Ｍ）
１４４    ラインヘッド（Ｙ）
１４５    吐出インク滴
１５１    ヘッド維持／回復機構
１６１    ヘッド（Ｋ）用空吐出受け
１６２    ヘッド（Ｃ）用空吐出受け
１６３    ヘッド（Ｍ）用空吐出受け
１６４    ヘッド（Ｙ）用空吐出受け
２０１    ＣＰＵ
２０２    ＲＯＭ
２０３    ＲＡＭ
２１１    操作部
２１２    表示部
２２１    外部Ｉ／Ｆ
２２２    通信制御部
２３１    スキャナー
２３２    読み取り制御部
２４１    吐出駆動制御部
２４２    ヘッドドライバ
２４３    ヘッド
２５１    ＩＯ制御部
２６１    給紙部
２６２    搬送部
２６３    排紙部
２７１    維持／回復部
２８１    各種センサ
２８２    各種ソレノイド
２８３    各種クラッチ
２８４    各種モーター
３０１    用紙（印刷前）
３０２    印刷出力
３１１    ヘッドＡ
３１２    ヘッドＢ
３１３    ヘッドＣ
３１４    ヘッドＤ
３２１    ノズル
３２２    ノズルＳ
３３１    画像形成ドットＡ
３３２    画像形成ドットＢ
３３３    画像形成ドットＣ
３３４    画像形成ドットＥ
３３５    画像形成ドットＭ
３４１    微駆動（空白）ドットＡ
３４２    微駆動（空白）ドットＢ
３４３    微駆動（空白）ドットＣ
３５１    画像形成ドットＸ
３５２    画像形成ドットＹ
３６１    微駆動（空白）ドットＹ
３６２    微駆動（空白）ドットＭ
５０１    画像開始端大滴吐出
５０２    微駆動制御
５１１    画像開始端中滴吐出
５１２    微駆動制御
５２１    画像開始端小滴吐出
５２２    微駆動制御
５３１    画像開始端滴無し
５３２    微駆動制御
５５１    画像終了端大滴吐出
５５２    微駆動制御
５６１    画像終了端中滴吐出
５６２    微駆動制御
５７１    画像終了端小滴吐出
５７２    微駆動制御
５８１    画像終了端滴無し
５８２    微駆動制御
【先行技術文献】
【特許文献】
【００６７】
【特許文献１】特開２０１０−１２５７４０号公報
【特許文献２】特許第３５２８５９２号公報
【特許文献３】特開２００７−０９８６５２号公報
【特許文献４】特許第３６１３２９７号公報
【特許文献５】特許第３４４０９６４号公報
【特許文献６】特開２００９−１５４５１２号公報
【図１】
2012101408.tif 000003
【図２】
2012101408.tif 000004
【図３】
2012101408.tif 000005
【図４】
2012101408.tif 000006
【図５】
2012101408.tif 000007
【図６】
2012101408.tif 000008
【図７】
2012101408.tif 000009